(57)【特許請求の範囲】
【請求項１】
長手方向に沿ってそれぞれ形成した第１面部，第２面部，第３面部，第４面部および第５面部を幅方向に並列形成した矩形状の包装装置主部を設け、
この包装装置主部の第１面部の表面に第５面部の裏面を互いに重ね合せて当該包装装置主部を筒状に折曲げ両端に開口部をそれぞれ有する筒状体を設け、
この筒状体の長手方向に沿って当該筒状体の両端部の内側に捻られて斜めにそれぞれ配置され緩衝空間を形成する緩衝片を継ぎしろを残して前記第１面部の両端から延出してそれぞれ設け、
前記緩衝空間との間に被包装物を収納するとともに前記対向する第２面部と第４面部の両端からそれぞれ延出して前記筒状体の開口部を覆う一対の内フラップをそれぞれ設け、
前記第５面部の両端からそれぞれ延出して前記内フラップをそれぞれ覆うとともに前記筒状体の内側に内接係止するフラップ片を有するつま面を設けた一枚の包装材からなることを特徴とする包装装置。
【請求項２】
長手方向に沿って形成した第４面部の両側に第５面部，第６面部および第７面部と第３面部，第２面部および第１面部とをそれぞれ連続形成した矩形状の包装装置主部を設け、
この包装装置主部の第１面部と第７面部とを互いに突き合わせて当該第１面部，第２面部および第３面部と第５面部，第６面部および第７面部とをそれぞれ筒状に折曲げ両端に開口部を有する第１の筒状体と第２の筒状体とを並列に設け、
これら第１の筒状体と第２の筒状体の長手方向に沿って当該第１の筒状体と第２の筒状体の両端部の内側に捻られて斜めにそれぞれ配置され第１の緩衝空間と第２の緩衝空間とを形成する第１の緩衝片と第２の緩衝片とを継ぎしろを残して前記第３面部と前記第５面部との両端から延出してそれぞれ設け、
前記第１の緩衝空間との間および第２の緩衝空間との間に第１の被包装物と第２の被包装物とをそれぞれ収納するとともに、
前記第４面部の両端からそれぞれ延出して前記第１の筒状体と第２の筒状体との開口部を覆うとともに当該第１の筒状体と第２の筒状体の内側にそれぞれ内接係止する第１のフラップ片と第２のフラップ片とを有するつま面を設けた一枚の包装材からなることを特徴とする包装装置。
【発明の詳細な説明】
【０００１】
【発明の属する技術分野】
本発明は、例えば、照明器具を包装する一枚の包装材からなる包装装置に関する。
【０００２】
【従来の技術】
従来、例えば、照明器具を包装する包装装置として、図１２および図１３に示すものが知られている。
【０００３】
照明器具１は、下方開口した細長の箱形をした器具本体２とこの器具本体２の両端に着脱可能に取着された一対のランプソケット３，３と、前記器具本体の中央に取付けられた安定器４などから構成している。なお、この照明器具１を包装装置で包装する際は、図１２に示すように、ランプソケット３を器具本体２の端部からそれぞれ取外し、照明器具１内から突出しない状態で当該ランプソケット３，３を照明器具１内に収納した状態で包装する。
【０００４】
包装装置１０は、長手方向に沿って形成された折曲げ線を介して幅方向に連続形成された内側天面部１２，側面部１３，底面部１４，側面部１５および外側天面部１６とからなる矩形状をした一枚の段ボール材からなる胴体部１１と、照明器具１の両端部を保護する一枚の段ボール材を四角筒状に折曲げテープ１７止めした一対の四角筒状緩衝体１８，１８とから構成している。なお、照明器具の長さａ２と、緩衝体の幅ａ１と、胴体部の長さＡとの関係は、Ａ＝ａ２＋ａ１×２の関係になっているとともに、前記胴体部の底面部１４の幅は、照明器具１の幅と略同一形状になっている。
【０００５】
照明器具を包装する手順を説明する。
【０００６】
最初に、照明器具１を胴体部の底面部１４の長手方向両端が、等しく残るように当該底面部上に載置する。それから、当該底面部上の両端に四角筒状緩衝体１８，１８をそれぞれ載置する。
【０００７】
つぎに、照明器具１を筒状に巻き込み、胴体部の側面部１３，１５と天面部１２，１６とを折曲げ線に沿って筒状に折曲げる。このとき、内側天面部１２上に外側天面部１６が重ね合うように折曲げる。
【０００８】
最後に、図１３に示すように、胴体部の外側天面部１６と側面部１３とのコーナ部をテープ１７で複数箇所固定するとともに、長手方向端部に取付けられている筒状緩衝体１８を外側天面部１６と底面部１４とにかけてテープ１９で固定する。この筒状緩衝体１８は、胴体部を幅方向に筒状に折曲げ形成した筒状体の両端開口部を覆うつま面として配置梱包されている。
【０００９】
【発明が解決しようとする課題】
上記のように従来の包装装置は、一枚の段ボール材からなる胴体部１枚と、一枚の段ボール材を四角筒状に折曲げテープで固定した筒状緩衝体２個とを使用している。このため、製造から、運搬、梱包、包装材の産業廃棄処理に至るまでの包装にかかる全ての工程において、時間と費用がかかるという問題があった。
【００１０】
本発明は上記の点に鑑みてなされたもので、最小限の材料から製造するとともに、包装にかかる全ての工程においてシンプルで合理的な包装装置を提供することを課題とする。
【００１１】
【課題を解決するための手段】
前記課題を解決するために、請求項１記載の本発明に係る包装装置は、長手方向に沿ってそれぞれ形成した第１面部，第２面部，第３面部，第４面部および第５面部を幅方向に並列形成した矩形状の包装装置主部を設け、この包装装置主部の第１面部の表面に第５面部の裏面を互いに重ね合せて当該包装装置主部を筒状に折曲げ両端に開口部をそれぞれ有する筒状体を設け、この筒状体の長手方向に沿って当該筒状体の両端部の内側に捻られて斜めにそれぞれ配置され緩衝空間を形成する緩衝片を継ぎしろを残して前記第１面部の両端から延出してそれぞれ設け、前記緩衝空間との間に被包装物を収納するとともに前記対向する第２面部と第４面部の両端からそれぞれ延出して前記筒状体の開口部を覆う一対の内フラップをそれぞれ設け、前記第５面部の両端からそれぞれ延出して前記内フラップをそれぞれ覆うとともに前記筒状体の内側に内接係止するフラップ片を有するつま面を設けた一枚の包装材からなることを特徴とするものである。
【００１２】
また、請求項２記載の本発明に係る包装装置は、長手方向に沿って形成した第４面部の両側に第５面部，第６面部および第７面部と第３面部，第２面部および第１面部とをそれぞれ連続形成した矩形状の包装装置主部を設け、この包装装置主部の第１面部と第７面部とを互いに突き合わせて当該第１面部，第２面部および第３面部と第５面部，第６面部および第７面部とをそれぞれ筒状に折曲げ両端に開口部を有する第１の筒状体と第２の筒状体とを並列に設け、これら第１の筒状体と第２の筒状体の長手方向に沿って当該第１の筒状体と第２の筒状体の両端部の内側に捻られて斜めにそれぞれ配置され第１の緩衝空間と第２の緩衝空間とを形成する第１の緩衝片と第２の緩衝片とを継ぎしろを残して前記第３面部と前記第５面部との両端から延出してそれぞれ設け、前記第１の緩衝空間との間および第２の緩衝空間との間に第１の被包装物と第２の被包装物とをそれぞれ収納するとともに、前記第４面部の両端からそれぞれ延出して前記第１の筒状体と第２の筒状体との開口部を覆うとともに当該第１の筒状体と第２の筒状体の内側にそれぞれ内接係止する第１のフラップ片と第２のフラップ片とを有するつま面を設けた一枚の包装材からなることを特徴とするものである。
【００１３】
上記の請求項１記載の構成において、一枚の包装材から、被包装物を覆う筒状体の両端にそれぞれ若干の継ぎしろを有し緩衝空間を形成する緩衝片を具備したので、これら緩衝片を継ぎしろから捻ることにより、筒状体の対角上に緩衝片を配置させ、被包装物の端部にあてがうものである。
【００１４】
請求項２記載の構成において、この包装装置は、２台の照明器具を並列に包装するもので、第１面部〜第７面部からなる一枚の段ボール材などの包装材を当該照明器具にそれぞれ巻き込み、前記第１面部と第７面部とが互いに重なり合う第１の筒状体と第２の筒状体を設けて、これら第１の筒状体内と第２の筒状体内に被包装物をそれぞれ収納する。さらに、前記第３面部と第５面部の両側に第１の実施の形態と同様な継ぎしろを有する第１の緩衝片と第２の緩衝片とをそれぞれ設け、これら第１の緩衝片と第２の緩衝片を継ぎしろから捻ることにより、第１の筒状体の対角上および第２の筒状体の対角上に第１の緩衝片と第２の緩衝片とをそれぞれ配置し、２台の被包装物の端部にそれぞれあてがうものである。
【００１５】
【発明の実施の形態】
以下、図１ないし図８を参照して本発明の第１の実施の形態を説明する。なお、従来技術と同一構成部品は、同一番号を付して説明する。
【００１６】
図１は本発明に係る第１の実施の形態に係る包装装置の展開図を示すもので、この包装装置２０は、一枚の段ボール板材などからなるもので、例えば、被包装物である直方体状の照明器具１を筒状に包装する長手方向に沿って縦長に形成された矩形状の第１面部２１と第２面部２２と第３面部２３と第４面部２４および第５面部２５を折曲げ線２６，２７，２８，２９を介してそれぞれ並列に形成した矩形状の包装装置主部２０ａと、前記第１面部２１の両端部にそれぞれ継ぎしろ３２を残して形成した切込み線３１を介して長手方向にそれぞれ延出形成した台形状の緩衝片３０，３０と、前記第２面部２２と前記第４面部２４との両端部にそれぞれ形成した折曲げ線３６と折曲げ線３７とを介して長手方向にそれぞれ延出形成した矩形状の内フラップ３４と内フラップ３５と、前記第５面部２５両端部に形成した折曲げ線４２を介して長手方向に延出形成し先端側に折曲げ線４３を介して形成したフラップ片４１を有する矩形状のつま面４０とから構成している。なお、Ｃは段ボール材の中芯の方向を示すものである。
【００１７】
前記第３面部２３の幅は、照明器具１の幅と略同一形状になっている。さらに、包装装置２０の長さＡと照明器具１の長さａ２と緩衝片の幅ａ１との関係は、Ａ＝ａ２＋ａ１×２の関係寸法になっている。
【００１８】
図２から図８を参照して第１の包装装置を使用して照明器具を包装する手順を説明する。
【００１９】
最初に、図２に示すように、照明器具１の天面部を包装装置の第３面部２３に沿って当該第３面部２３の中央に載置する。
【００２０】
つぎに、照明器具１の両側面部に沿うように、第２面部２２と第４面部２４とを折曲げ線２７と折曲げ線２８とに沿ってそれぞれ上方に向けて直角に折曲げるとともに、照明器具の底面部に沿うように、第１面部２１を折曲げ線２６に沿って内方に向けて直角に折曲げて筒状体４５を形成する。
【００２１】
それから、図３に示すように、緩衝片３０を継ぎしろ３２を支点として矢印方向に捻りながら、前記第１面部２１の裏面に当該緩衝片３０の天面縁部３０ａが当接するように折曲げると、この緩衝片３０は、図４に示すように、照明器具１の端面（図８参照）対角線上に折曲げられる。それから、第２面部と第４の両端部に設けられている内フラップ３４，３５をそれぞれ矢印方向に折曲げる。
【００２２】
つぎに、図５に示すように、つま面４０を矢印方向に折曲げつつ、筒状体４５の内側へ内接するようフラップ片４１を差し込む。最後に、図６に示すように、テープ１７で複数箇所封緘する。
【００２３】
図７は包装装置の筒状体内に梱包した照明器具と当該包装装置の両端にそれぞれ形成した一対の緩衝片との関係を示すもので、照明器具１の両端は、緩衝片３０にそれぞれ当接しつつ当該緩衝片３０，３０間に配置されている。このため、これら緩衝片３０，３０は、筒状体４５の緩衝空間４６，４６をそれぞれ形成している。
【００２４】
以下、図９ないし図１１を参照して本発明の第２の実施の形態を説明する。なお、第１の実施の形態に係る包装装置が、一台の照明器具を包装するのに対し、第２の実施の形態に係る包装装置は、二台の照明器具を並列に包装するものである。
【００２５】
図９は本発明に係る第２の実施の形態に係る包装装置の展開図を示すもので、この包装装置５０は、一枚の段ボール板材などからなるもので、例えば、被包装物である直方体状の照明器具（図示せず）を二台並列に筒状に包装するもので、長手方向に沿って縦長に形成した矩形状の第４面部５５の両側にそれぞれ折曲げ線６１，６０，５９を介して形成した第３面部５４，第２面部５３，第１面部５２と折曲げ線６２，６３，６４を介して形成した第５面部５６，第６面部５７，第７面部５８とからなる矩形状の包装装置主部５１と、前記第３面部５４の両端部にそれぞれ継ぎしろ６７を残して形成した切込み線６５を介して長手方向にそれぞれ延出形成した台形状の第１の緩衝片６９，６９と、前記第５面部５６の両端部にそれぞれ継ぎしろ６８を残して形成した切込み線６６を介して長手方向にそれぞれ延出形成した台形状の第２の緩衝片７０，７０と、前記第４面部５５両端部に形成した折曲げ線７５，７５を介して長手方向に延出形成し先端側に折曲げ線７９を介して形成した第１のフラップ片７７と第２のフラップ片７８とを有する矩形状のつま面７６とから構成している。なお、Ｃ部は段ボール材の中芯の方向を示すものである。
【００２６】
つぎに、第２の包装装置を使用して二台の照明器具を並列に包装する手順を説明する。
【００２７】
最初に、照明器具の天面部（図示せず）を包装装置の第４面部５５に沿って当該第４面部５５の中央に並列に載置する。
【００２８】
つぎに、図１０に示すように、照明器具の両側面部（図示せず）に沿うように、第３面部５４と第５面部５６とを折曲げ線６１と折曲げ線６２とに沿ってそれぞれ上方に向けて直角に折曲げる。さらに、照明器具の底面部（図示せず）に沿つて、第２面部５３と第６面部５７とを折曲げ線６０，６３に沿って内方に向けて直角に折曲げるとともに、第１面部５２と第７面部５８とがお互いに突き合うように、折曲げ線５９，６４に沿ってそれぞれ下方に向けて筒状にそれぞれ折曲げ、第１の筒状体８５と第２の筒状体８７とをそれぞれ設ける。
【００２９】
それから、第１の緩衝片６９を継ぎしろ６７を支点として内側方向に捻りながら、前記第３面部５４の裏面に当該第１の緩衝片６９の天面縁部６９ａが当接するように折曲げる。同様にして、第２の緩衝片７０を継ぎしろ６８を支点として内側方向に捻りながら、前記第５面部５６の裏面に当該第２の緩衝片７０の天面縁部７０ａが当接するように折曲げる。前記第１の緩衝片６９と第２の緩衝片７０は、図１０に示すように、照明器具の端面（図８参照）対角線上にそれぞれ折曲げられる。
【００３０】
つぎに、つま面７６を矢印方向に折曲げつつ、第１の筒状体８５および第２の筒状体８７の内側へそれぞれ内接するよう第１のフラップ片７７と第２のフラップ片７８とをそれぞれ差し込む。最後に、図１１に示すように、テープ９０で第２面部５３と第６面部５７との突き合わせ面およびつま面７６にかけてテープ止めし封緘する。
【００３１】
包装装置で並列に包装された照明器具（図示せず）の両端は、第１の緩衝片６９と第２の緩衝片７０にそれぞれ当接しつつ当該第１の緩衝片６９，６９との間および当該第２の緩衝片７０，７０との間にそれぞれ配置されている。このため、これら第１の緩衝片６９，６９と第２の緩衝片７０，７０とは、第１の筒状体８５および第２の筒状体８７の第１の緩衝空間９１と第２の緩衝空間９２とをそれぞれ形成している。
【００３２】
上記第１の実施の形態の作用を説明する。
【００３３】
第１面部〜第５面部からなる一枚の段ボール材などからなる包装材で被包装物を巻き込み、前記第１面部と第５面部とが互いに重なり合わせて筒状に折曲げて形成した筒状体と、この筒状体の両端部の前記第１面部の延長上に前記筒状体の断面対角に配置され、前記筒状体の両端部の緩衝空間を形成する緩衝片が第１面部の端部に若干の継ぎしろで繋がっている。
【００３４】
さらに、第２面部と第４面部の両端延長上には、前記筒状体の両端開口部を覆う内フラップを設けるとともに、前記第５面部の両端延長上には、筒状体の内側に内接させ係止するフラップ片を有するつま面を設ける構成にしたので、一枚の包装材から、被包装物を覆う筒状体の両端に若干の継ぎしろを有し緩衝空間を形成する緩衝片を具備したので、この緩衝片を継ぎしろから捻るようにして、筒状体の対角上に緩衝片を配置させ、被包装物の端部にあてがうものである。このため、包装装置は、最小限の材料から製造することができるので、包装材の製造から、運搬、梱包、包装材の産業廃棄物処理に至るまでの包装にかかる全ての工程において、シンプルで合理的な包装装置を提供することができる。なお、継ぎしろの方向は、段ボール材の中芯の方向に沿って作られているので、この継ぎしろを捻っても容易に切れることはない。
【００３５】
上記第２の実施の形態の作用を説明する。
【００３６】
第２の実施の形態の包装装置は、２台の照明器具を並列に包装するもので、第１面部〜第７面部からなる一枚の段ボール材などの包装材を内方に向けて巻き込み、前記第１面部と第７面部とが互いに重ね合わせて第１の筒状体と第２の筒状体をそれぞれ設け、これら第１の筒状体と第２の筒状体内に被包装物をそれぞれ収納する。さらに、前記第３面部と第５面部の両側に第１の実施の形態と同様な継ぎしろを有する第１の緩衝片と第２の緩衝片とをそれぞれ設け、これら第１の緩衝片と第２の緩衝片とを継ぎしろから捻るようにして、第１の筒状体の対角上および第２の筒状体の対角上に第１の緩衝片とを第２の緩衝片とをそれぞれ配置し、被包装物の端部にそれぞれあてがう。さらに、第１の筒状体と第２の筒状体の開口部を塞ぐつま面を第４面部の両端にそれぞれ設けた。このため、この包装装置は、最小限の材料から製造することができるので、包装材の製造から、運搬、梱包、包装材の産業廃棄物処理に至るまでの包装にかかる全ての工程において、シンプルで合理的な包装装置を提供することができるものである。
【００３７】
【発明の効果】
以上詳記したように本発明によれば、一枚の段ボール材からなる包装材を使用するだけで、包装装置を製造することができるので、包装材の製造から、運搬、梱包、包装材の産業廃棄物処理に至るまでの包装にかかる全ての工程において、シンプルで合理的な包装装置を提供することができる。なお、請求項１記載の本発明は、被包装物を一台包装するものであり、請求項２記載の本発明は、被包装物を二台包装するものである。
【図面の簡単な説明】
【図１】本発明の第１の実施形態に係る包装装置の構成を示す展開図。
【図２】同実施の形態における包装装置の第３面部に照明器具を載置した状態を示す斜視図。
【図３】同実施の形態に係る包装装置を筒状に折曲げ形成した状態を示す斜視図。
【図４】同実施の形態に係る筒状体に内フラップを折曲げる状態を示す斜視図。
【図５】同実施の形態に係る筒状体につま面を折曲げる状態を示す斜視図。
【図６】同実施の形態に係る筒状体をテープで封緘した状態を示す斜視図。
【図７】同実施の形態に係る筒状体の両端に形成する緩衝空間を示す斜視図。
【図８】同実施の形態に係る包装装置の緩衝片を被包装物の端面に当接した状態を示す側面図。
【図９】本発明の第２の実施形態に係る包装装置の構成を示す展開図。
【図１０】同第２の実施形態に係る包装装置を並列に筒状体を形成した状態を示す斜視図。
【図１１】同第２の実施形態に係る包装装置をテープで封緘した状態を示す斜視図。
【図１２】従来技術に係る包装装置に被包装物を収納する状態を示す斜視図。
【図１３】従来技術に係る包装装置をテープで封緘した状態を示す斜視図。
【符号の説明】
１…照明器具（被包装物），２０ａ…包装装置主部，２１…第１面部，
２２…第２面部，            ２３…第３面部，      ２４…第４面部，
２５…第５面部，            ３０…緩衝片，        ３２…継ぎしろ，
３４…内フラップ，          ３５…内フラップ，    ４０…つま面，
４１…フラップ片，          ４５…筒状体，        ４６…緩衝空間，
５１…包装装置主部，        ５２…第１面部，      ５３…第２面部，
５４…第３面部，            ５５…第４面部，      ５６…第５面部，
５７…第６面部，            ５８…第７面部，      ６７…継ぎしろ，
６８…継ぎしろ，            ６９…第１の緩衝片，
７０…第２の緩衝片，        ７６…つま面，
７７…第１のフラップ片，    ７８…第２のフラップ片，
８５…第１の筒状体，        ８７…第２の筒状体，
９１…第１の緩衝空間，
９２…第２の緩衝空間。
【図１】
0003700320.tif 000002
【図２】
0003700320.tif 000003
【図３】
0003700320.tif 000004
【図４】
0003700320.tif 000005
【図５】
0003700320.tif 000006
【図６】
0003700320.tif 000007
【図７】
0003700320.tif 000008
【図８】
0003700320.tif 000009
【図９】
0003700320.tif 000010
【図１０】
0003700320.tif 000011
【図１１】
0003700320.tif 000012
【図１２】
0003700320.tif 000013
【図１３】
0003700320.tif 000014